(57)【要約】  フェルミパスタウラム(FPU)スペクトルを生成するための装置は、FPU電磁スペクトルを形成するための共振器(FPU共振器)であり、振動を生成するための2ポート生成器であり、生成器の各ポートは、コイル、キャパシタ、および非線形被制御電子素子を備え、2ポート生成器の前記コイルは反対の巻線を有し、逆向きに接続され、同じ数および同じ直径の巻きを有し、一方のコイルの巻きは、他方のコイルの巻きの間に交互に配置され、生成器ポートは、生成器ポート間の正のフィードバックによる振動の生成を提供するように接続される、2ポート生成器を備える、共振器と、コイルの接続点に電力を供給するための電源と、2ポート生成器に接続されたスイッチオン回路とを備える。身体組織の異なる種類の病変への治療インパクトのための医療装置、および身体組織のFPU回帰スペクトルの共振曝露による身体組織の病変への治療インパクトの方法も提供される。
2020535901.tif 000002
【特許請求の範囲】
【請求項１】
フェルミパスタウラム(FPU)スペクトルを生成するための装置であって、
前記FPU電磁スペクトルを形成するための共振器(FPU共振器)であり、
振動を生成するための2ポート生成器であり、前記生成器の各ポートは、コイル、キャパシタ、および非線形被制御電子素子を備え、
前記2ポート生成器の前記コイルは、反対の巻線を有し、逆向きに接続され、同じ数および同じ直径の巻きを有し、一方のコイルの巻きは、他方のコイルの巻きの間に交互に配置され、
前記生成器ポートは、前記生成器ポート間の正のフィードバックによる振動の生成を提供するように接続されている、2ポート生成器
を備える、共振器と、
前記コイルの接続点に電力を供給するための電源と、
前記2ポート生成器に接続されたトリガ回路と
を備える、装置。
【請求項２】
前記非線形被制御電子素子は、バイポーラトランジスタ、サイリスタ、電界効果トランジスタ、チップ、およびラジオ管からなる群から選択される素子である、請求項1に記載の装置。
【請求項３】
前記FPU共振器のコイルと電磁結合しており、前記FPU共振器の電力を増幅するように設計された2次共振器であって、
同じ直径の巻きを有する、反対の巻線の2つの2次逆向き接続コイルであり、一方のコイルの巻きが他方のコイルの巻きの間に交互に配置され、前記2次コイルの端子が負荷に接続されて、閉ループを形成する、2つの2次逆向き接続コイル
を備える、2次共振器をさらに備え、
前記2次コイルの前記巻き数は、前記FPU共振器の前記コイルの前記巻き数の2倍であり、前記2次コイルの巻きは、前記FPU共振器の前記コイルの巻きの間に対で配置され、前記2次コイルの巻きの前記直径は、前記FPU共振器の前記コイルの巻きの前記直径と等しい、
請求項1に記載の装置。
【請求項４】
前記FPU共振器の前記コイルの巻きは、隙間なく互いに近接して配置される、請求項1に記載の装置。
【請求項５】
前記FPU共振器の前記コイルおよび2次コイルの巻きは、隙間なく互いに近接して配置される、請求項3に記載の装置。
【請求項６】
前記FPU共振器の前記コイルおよび2次コイルは、角線または丸線で作られている、請求項1または3に記載の装置。
【請求項７】
前記FPU共振器の前記コイルの前記直径は、20〜25mmの範囲内である、請求項1に記載の装置。
【請求項８】
前記FPU共振器の前記コイルの前記線径は、前記2次コイルの前記線径の2〜2.5倍である、請求項3に記載の装置。
【請求項９】
前記FPU共振器の前記コイルの前記線径は、1.8〜2.2mmである、請求項1に記載の装置。
【請求項１０】
前記2次コイルの前記線径は、0.8〜1.2mmである、請求項3に記載の装置。
【請求項１１】
前記負荷は高出力ダイオードである、請求項3に記載の装置。
【請求項１２】
前記生成器ポートのうちの1つに結合された2ポート生成器操作光インジケータをさらに備える、請求項1に記載の装置。
【請求項１３】
前記操作光インジケータは、発光ダイオードである、請求項12に記載の装置。
【請求項１４】
フェルミパスタウラム(FPU)スペクトルを生成するための装置であって、
前記FPU電磁スペクトルの高周波部分を形成するための共振器であり、
同じ数および同じ直径の巻きを有する反対の巻線の2つの接続されたコイルであり、一方のコイルの巻きは、他方のコイルの巻きの間に交互に配置される、2つの接続されたコイル
を備える、共振器と、
前記FPU電磁スペクトルの低周波数部分を形成するための回路であり、非線形素子、ならびに並列に接続され、前記非線形素子の出力に結合された低オーム抵抗器およびスーパーキャパシタを備え、
前記非線形素子の他方の出力は、前記コイルの前記一方の他方の端子に接続されている、回路と、
患者の心拍数に応じて前記スペクトルの前記低周波数部分の周波数を調整するための回路であり、キャパシタおよび制御された高オーム抵抗器を備え、その一方の出力は、前記非線形素子の制御電極に接続され、他方の出力は、前記第2のコイルの一方の端子に接続される、回路と、
前記非線形素子の前記制御電極に結合され、1〜1.5Hzの脈拍数に近い周波数での前記共振器の短期的なスイッチオンを示すように設計された、LED低周波振動インジケータと、
前記コイルに電力を供給するための電源と、
前記電源の出力に取り付けられたスイッチと
を備える、装置。
【請求項１５】
前記非線形被制御電子素子は、バイポーラトランジスタ、サイリスタ、電界効果トランジスタ、チップ、およびラジオ管からなる群からの素子である、請求項14に記載の装置。
【請求項１６】
前記コイルが配置される誘電体材料のコアをさらに備える、請求項14に記載の装置。
【請求項１７】
前記コイルの巻きは、隙間なく互いに近接して配置される、請求項14に記載の装置。
【請求項１８】
前記コイルは、角線または丸線から作られている、請求項14に記載の装置。
【請求項１９】
前記コイルの前記直径は、20〜25mmの範囲内である、請求項14に記載の装置。
【請求項２０】
前記コイルの前記線径は、1.8〜2.2mmである、請求項14に記載の装置。
【請求項２１】
フェルミパスタウラム(FPU)スペクトルを生成するための装置であって、
前記FPU電磁スペクトルを形成するための共振器であり、
振動を生成するための2ポート生成器であり、前記生成器の各ポートは、コイル、ならびに直列に接続されたキャパシタおよびトランジスタを備え、
前記2ポート生成器の前記コイルは、反対の巻線を有し、逆向きに接続され、同じ数および同じ直径の巻きを有し、一方のコイルの巻きは、他方のコイルの巻きの間に交互に配置され、前記生成器コイルの一方の端子は、一方の生成器ポートの前記トランジスタの前記コレクタに結合され、前記他方の生成器コイルの端子は、前記他方の生成器ポートの前記トランジスタの前記コレクタに結合され、
前記生成器ポートは、前記生成器ポート間の正のフィードバックによる振動の生成を提供するように接続される、2ポート生成器
を備える、共振器と、
前記コイルの接続点に電力を供給するための電源と、
同じ直径の巻きを有する、前記FPU共振器の電力を増幅するための反対の巻線の2つの2次逆向き接続コイルであり、一方のコイルの巻きが他方のコイルの巻きの間に交互に配置され、前記2次コイルの端子が負荷に結合されて、閉ループを形成し、
前記2次コイルの前記巻き数は、前記FPU共振器の前記コイルの前記巻き数の2倍であり、前記2次コイルの巻きは、電磁結合を提供するために前記FPU共振器の前記コイルの巻きの間に対で配置され、前記2次コイルの巻きの前記直径は、前記FPU共振器の前記コイルの巻きの前記直径と等しい、2つの2次逆向き接続コイルと、
直列に接続された抵抗器およびスイッチを備えるトリガ回路であり、前記抵抗器の出力は、前記生成器ポートのうちの1つの前記トランジスタの前記コレクタに結合され、前記スイッチの出力は、同じトランジスタの前記ベースに結合される、トリガ回路と
を備える、装置。
【請求項２２】
フェルミパスタウラム(FPU)スペクトルを生成するための装置であって、
前記FPU電磁スペクトルの高周波部分を形成するための共振器であり、
同じ数および同じ直径の巻きを有する反対の巻線の2つの接続されたコイルであり、一方のコイルの巻きは、他方のコイルの巻きの間に交互に配置される、2つの接続されたコイル
を備える、共振器と、
前記FPU電磁スペクトルの低周波数部分を形成するための回路であり、トランジスタ、ならびに並列に接続された低オーム抵抗器およびスーパーキャパシタを備え、前記抵抗器の出力は、前記トランジスタの前記エミッタに結合され、前記抵抗器の他方の出力は接地され、前記トランジスタの前記コレクタは、前記コイルの前記一方の他方の端子に結合される、回路と、
患者の心拍数に応じて前記スペクトルの前記低周波数部分の前記周波数を調整するための回路であり、キャパシタおよび制御された高オーム抵抗器を備え、その一方の出力は、前記共振回路の前記トランジスタのベースに結合され、前記他方の出力は、前記第2のコイルの端子の1つに結合される、回路と、
前記トランジスタの前記ベースに結合され、1〜1.5Hzの脈拍数に近い周波数での前記生成器の短期間のスイッチオンを示すように設計されたLED低周波振動インジケータと、
コイルの一方の端子が接続される電源と、
前記電源の出力に取り付けられたスイッチと
を備える、装置。
【請求項２３】
身体組織におけるFPU回帰スペクトルの共振曝露による身体組織の病変への治療インパクトのための医療装置であって、
患者の身体に配置するための非磁性材料のハウジングを備え、前記ハウジングは、空洞内に、
請求項1または14に記載のフェルミパスタウラム(FPU)スペクトルを生成するための装置と、
前記装置が接続されるマイクロプロセッサと、
前記マイクロプロセッサに接続された、前記病変領域の前記温度を監視するための温度センサと
を囲う、医療装置。
【請求項２４】
心筋におけるFPU回帰スペクトルの共振曝露による不整脈における治療インパクトのための医療装置であって、
患者の身体に配置するための非磁性材料のハウジングを備え、前記ハウジングは、空洞内に、
請求項14に記載のフェルミパスタウラム(FPU)スペクトルを生成するための装置と、
前記装置が接続されるマイクロプロセッサと、
前記患者の手首に固定され、前記マイクロプロセッサに接続されている脈拍センサと
を囲う、医療装置。
【請求項２５】
身体組織におけるFPU回帰スペクトルの共振曝露による身体組織の病変への治療インパクトのための医療装置であって、
患者の身体に配置するための非磁性材料のハウジングを備え、前記ハウジングは、空洞内に、
請求項14に記載のフェルミパスタウラム(FPU)スペクトルを生成するための装置と、
前記装置が接続されるマイクロプロセッサと、
前記マイクロプロセッサに接続された、前記病変領域の体温を監視するための温度センサと
を囲う、医療装置。
【請求項２６】
身体組織におけるFPU回帰スペクトルの共振曝露のためのフェルミパスタウラム(FPU)スペクトルの電磁放射による前記身体の病変への治療インパクトの方法であって、
身体組織の前記FPU回帰スペクトルの共振曝露のための前記FPUスペクトルを生成するために、請求項23または25に記載の医療装置を使用するステップと、
患者の身体の治療インパクトの対象となる前記病変領域に前記医療装置を固定するステップと、
前記病変のタイプに応じて3Hz〜650MHzの範囲の周波数で前記FPUスペクトルの電磁放射に前記病変領域を5〜30分間曝すステップと、
体温を監視し、前記病変領域の前記体温が0.4〜2℃上昇することから、治療効果が得られたかどうかを判断するステップと
を含む、方法。
【請求項２７】
心筋におけるFPU回帰スペクトルの共振曝露のためのフェルミパスタウラム(FPU)スペクトルの電磁放射による心不整脈における治療インパクトの方法であって、
前記心筋における前記FPU回帰スペクトルとの共振相互作用のための前記FPUスペクトルを生成するために、請求項24に記載の医療装置を使用するステップと、
患者の身体の心臓領域に前記医療装置を固定するステップと、
前記患者の手首に脈拍センサを固定するステップと、
3Hz〜650MHzの前記範囲の前記曝露の周波数で、5〜30分間、前記FPUスペクトルの電磁放射に前記心臓領域を曝すステップと、
必要な脈拍数に従って、前記制御された高オーム抵抗器の抵抗を設定するステップと、
前記LED低周波振動インジケータの点滅頻度から脈拍を監視するステップと、
心臓の心電図を同時に監視し、前記心臓の心電図から治療効果が得られたかどうかを判断するステップと
を含む、方法。
【発明の詳細な説明】
【技術分野】
【０００１】
本発明は、医療機器に関し、詳細には、フェルミパスタウラム(FPU)回帰スペクトルの構造を有する電磁界を放射することによる、身体組織の病変に対する治療インパクトの装置、医療装置、および方法に関する。
【０００２】
医療装置および方法は、臓器の働きを調和させ、身体の防御を高めるために、体内の不整脈および炎症過程を治療するために使用することができる。
【背景技術】
【０００３】
電気刺激用の電子装置は、身体の生理学的システムに一般的な調節の影響を及ぼし、鎮痛効果を提供するために、一群の選択されたゾーンから決定され、時間的に周期的である、電気パルスによる人間の皮膚領域に対する、治療的非侵襲的な個別投与のインパクトを対象とする従来技術で知られている(たとえば、RU 2135226 C1を参照)。
【０００４】
電気刺激器は、影響を与えるパルスを生成するための手段、変調制御信号を生成するための手段、制御された生成器、第1および第2の電極、適応プロセスの分析のための手段、刺激チャネル切替えユニット、2N-2電極、電極インパクト周波数生成器(electrode impact frequency generator)、およびチャネルコードフォーマを備え、影響を与えるパルスを生成するための手段のクロック出力は、適応プロセス分析および電極インパクト周波数生成器のための手段のクロック入力に接続されており、その制御入力は、適応プロセス分析のための手段の第2の制御出力に接続され、出力はチャネルコードフォーマのカウント入力に接続され、刺激チャネルを切り替えるための手段の出力の第i(i=I,N)のグループの第1および第2の出力は、2N電極のグループの第iの第1および第2の電極によってそれぞれ接続され、出力パルスを生成するための手段の第2の信号出力は、刺激チャネルを切り替えるための手段の第2の信号入力に接続される。
【０００５】
人体は、システム分析の概念に従って、複数の相互に関係するサブシステムまたは完全な整合性で働く相互作用する臓器へ分けられる複雑なシステムであると考えられる。
【０００６】
この文脈では、治療的な非侵襲的インパクトでの経皮曝露は、人体の臓器群への効果的なインパクトの検索を可能にするために、一組の選択されたゾーンに加えられるものとする。
【０００７】
一群の選択されたゾーン(実際には一群の臓器)に対する経皮的インパクトの特別な必要性は、クリニックの要件に関連する重篤な疾患(病理)の処置においても見受けられ、たとえば、包帯を交換するときなど、患者の邪魔をできるだけ少なくし、皮膚の複数のゾーンに同時に長期的な刺激のインパクトを与えることが望ましい。電極の適用の場所は、加えられたインパクトに対する刺激された組織または臓器の反応に基づいて選択される。
【０００８】
刺激プロセスを開始した後、人体の組織および臓器の応答に基づいて、刺激パルスの効果が測定される。フィードバックの深さ、すなわち、身体の応答時間は、第2の調整入力によって制御された生成器で調整される。
【０００９】
方形波生成器は、主治医によって選択され、電気刺激器の第1の調整入力11〜1Nの設定によって各刺激チャネルに対して指定された周波数の方形波パルスのシーケンスを生成する。生成器パルスの持続時間は、変調器によって変化する。
【００１０】
電気刺激器の出力エネルギーは、変調器の出力から電力増幅器の入力に供給されるパルスの持続時間に正比例し、インジケータの点滅速度および発光強度から測定される。生成器は、電気刺激器のクロック周波数も決定する。
【００１１】
制御された生成器は、刺激の系列および系列の間の休止の長さを指定する。刺激パルスのエネルギーの滑らかな上昇および下降を提供するために、制御された生成器の出力信号は、変調制御信号を生成するための手段に供給され、そこで台形形状を獲得する。
【００１２】
制限検出器は、刺激パルスの振幅を決定する。増幅器の出力回路の振動の振幅は、変調器の出力から供給されるパルスの持続時間によって定義される。変調制御信号を生成するための手段の振幅リミッタは、制御された生成器および制限検出器の信号を実際に合計する。
【００１３】
身体が刺激のインパクトに適応するにつれて、影響を与えるパルスを生成するための手段の電力増幅器の出力回路における振動が変化される。
【００１４】
患者の身体に病理学的変化がある場合、電極の刺激パルスは、健康な身体の時定数よりはるかに小さい時定数の指数関数的減衰を有する。制御された生成器は、一連のパルスを生成し、パルス間の休止の持続時間は、パルスの持続時間を大幅に超える。単一の短い刺激パルスが1期間中に電極に印加される状況も可能である。
【００１５】
刺激パルスが、治療インパクトを加えると、病理学的レベルと調整入力で設定されたフィードバック深さの両方によって定義される一定の時間期間後、刺激のインパクトに対する患者の身体の反応は、健康な身体の反応に近づくか、または単に安定する。これは、チャネルコードフォーマによって選択された刺激チャネル上の曝露が十分である状態である。この適応は、制御された生成器および適応プロセスの分析のための手段で監視される。
【００１６】
生成器パルスの持続時間は、フィードバック信号フォーマの入力でのフィードバック信号に応答して変化する。1対の電極に対応する選択された点に病変が存在する場合、刺激パルスのパックの持続時間は、指定されたものよりも短い。病理が解消されると、フィードバックチャネルを介した生成器への影響が減少し、刺激パルスパックの持続時間が増加し、すなわち、時間間隔生成器のパルスの持続時間が回復する。
【００１７】
低周波電磁療法の方法、およびその方法を実施するための装置は、従来技術で知られている(たとえば、RU 2164424 C1を参照)。本発明は、弱い電磁界の助けを借りて臓器およびシステムに共振を誘発し、それによって身体機能を調和させることに実質的に依存する。
【００１８】
電磁療法の方法は、生物活性点および生物活性ゾーンを0.1V/sq mの強度のパルス電磁界に曝すことを含む。電磁パルスは、0.1〜100Hzのパックの繰返し率、0.01Hzの解像度、および10〜15kHzの搬送周波数を持つ無線パルスである。低周波電磁療法用の装置は、アンテナ装置、電源、制御キーボード、LCDディスプレイ、アンテナ整合ユニット、入力が電源に接続されているスタビライザ、出力によって制御キーボード、実行された処置プログラムのパラメータを表示するためのLCDディスプレイ、およびアンテナ整合ユニットに接続されているマイクロプロセッサコントローラを備える。マイクロプロセッサコントローラは、最大1000の処置プログラムを記憶し、10〜15kHzの周波数で変調された0.1〜100Hzの繰返し周波数を有する出力パルスを形成するように構成されている。
【００１９】
生体組織の受動的電気特性は、インピーダンスによって特徴付けられ、その大きさは、組織のそれぞれのインダクタンスによる容量およびアクティブ伝導率によって決定される。低周波数でのアクティブ伝導率成分は、主に間質液の量および電解質組成によるものであるが、高周波数では、細胞の伝導率によって追加の寄与がなされる。組織の等価回路では、細胞の抵抗が細胞膜の静電容量と直列に接続されているので、生体組織の伝導率の周波数分散の現象が観察される。高い誘電特性および非常に薄い厚みを所有する脂質二重膜は、高い比容量によって特徴付けられる。膜の電荷容量の大きさが大きく、およびその結果、生体組織の容量特性が大きいことは、その相対誘電率に応じた、膜誘電体のかなりの分極能力によって生じている。高周波では、分極機構は緩和時間を遅くしてシャットダウンされ、したがって、周波数を上げると、誘電率を上げる場合と同様に、組織の静電容量が減少する。
【００２０】
低周波領域では、組織のインピーダンスは主に、その抵抗特性によって決定される。この領域は、神経組織など、高伝導率を有する組織を含む。中域周波数領域は、実質器官など、電気的特性が抵抗特性と容量特性の両方によって決定される組織を含む。高周波領域では、組織の電気特性は容量性であり、たとえば、膜および脂質である。この周波数領域での分極機構が遅いと、加熱により組織の誘電損失が大きくなる可能性がある。
【００２１】
したがって、生細胞は、静電容量および抵抗を備えた共振回路として表すことができ、静電容量は、遊離基反応および抗酸化防御システムによって決定され、抵抗は、酵素酸化によって決定される。
【００２２】
共振回路は、インダクタンスの特性を有し、すなわち、その磁気モーメントにより、別の回路または閉コンダクタに電流を誘導する能力を有する。数単位から数十Hzまでの電磁パルスの生成は、様々な人間の臓器の正常な機能の特性である。
【００２３】
細胞は、共振回路の形式で提示できるだけでなく、より高いレベルの生体物質の組織化でも提示でき、グルコース酸化経路の支配が異なる組織および臓器、臓器のシステム、および全身は、共振回路の誘導平衡システムとして提示することができる。たとえば、肝臓などの臓器は、両方のグルコース酸化経路を同じ割合で含んでおり、身体の容量およびインダクタンスの調節のシステムにおいて肝臓が重要な臓器になる。
【００２４】
したがって、循環器系は、毛細血管のループから大小の循環に至るまで、閉コンダクタのカスケードとして提示することもできる。静脈血および動脈血のインピーダンスが異なると、臓器同士が相互に影響し合う状態を作り出す。血液の電気的特性は、含まれるヘモグロビン、酸素、他の環状化合物、タンパク質および電解質組成の量、ならびに血流量によって決定される。
【００２５】
したがって、古典的な電気力学の枠組みにおける電磁界は、全身の機能を統合し、様々な組織の特殊化を作り出し、維持することができる。そして、循環器系は、調節が行われる仲介である。
【００２６】
したがって、生体の組織に固有の電磁振動は、体外に存在する振動に部分的に依存しているにすぎない。身体の自然振動は、外部電磁界の振動によって励起されるが、体内では、この場合もさらに特定の形式で形成される。すべての臓器およびすべての細胞は、振動のそれ自体の固有のスペクトルを有し、これらの振動のそれ自体の固有の特性を有する(形状および外観、ならびに周波数)。これらの振動を維持することは、全体として、細胞、臓器、組織、または身体の共振器のQ係数に依存する。共振器のQ係数が壊れているまたは欠落している場合、非干渉性の不十分な異常な電磁振動が発生する可能性がある。体内に存在する自己調節および治癒の機構がこれらの振動を破壊することができない場合、病気が発生する。
【００２７】
人工電磁界(EMF)への曝露に対する人体の特定の反応は、体内に誘導される電界の強度が0.1V/cmを大幅に下回るとき、0.1〜100Hz EMFの範囲の低周波数の超低強度への移行時にのみ検出された。
【００２８】
0.1〜100Hz EMFの範囲の人工低周波および自然低周波の人間への影響を比較すると、人工EMFへの曝露が短いこと、その持続時間が人間の一生よりもはるかに短く、一方、自然なEMFの影響は、一生を通じて継続的に発揮されていることも考慮に入れるべきである。この点について、人工電磁界に曝された状態で治療効果を得るために、その強度をより高くする必要があると予想できる。
【００２９】
アンテナの相反原理に従って、EMFを受信する任意の構造は、同じ周波数範囲でEMFを発することもできる。
【００３０】
自然振動が弱く抑制されたシステムの強い振動は、システムの自然周波数と等しいまたはほぼ等しい周波数の比較的弱い外力によって励起される場合、共振と呼ばれる。
【００３１】
したがって、弱い電磁界の助けを借りて臓器およびシステムに共振が誘発され、それによって身体の機能が調和する。臓器の病気は、異なる起源を有している可能性があるので、処置のために身体の異なるシステムを使用すること、すなわち周波数のセットを使用することが必要である。したがって、治療インパクトのプログラムは、各々が所定の時間にわたって機能し、所望の臓器およびシステムに共振を引き起こす周波数のセットを含む。低周波電磁療法は、共振現象を誘発するが、体内に導入されるエネルギーは非常に小さいため、過剰摂取の影響はなく、これは、特に癌患者の処置にとって重要である。
【００３２】
病理細胞および組織のアポトーシスを誘導するための装置および方法は、従来技術で知られている(たとえば、RU 2245728 C2を参照)。
【００３３】
アポトーシスは、細胞のプログラムされた死の形態学的に異なる形態であり、細胞の生命に関するプロセスに関連付けられ、発生の間、ホメオスタシス、および癌、後天性免疫不全症候群、神経変性疾患を含む多くの疾患において、ならびに細胞の生存の様々なプロセスで重要な役割を果たす。アポトーシスは、内部細胞の自己破壊プログラムを活性化することによって発生する。自己破壊プログラムの活性化は、細胞内と外部の両方の環境から発生する多くの異なる信号によって調節される。
【００３４】
この方法は、病理細胞および組織を、周波数1〜1000Hzの、1〜100MTの誘導で固定および/または可変低周波電磁界に曝すことを含む。この装置は、作業空間に浸透する一定および/または低周波の交流電磁界を生成するための手段を備える。この方法および装置は、健康な細胞に有害な影響を与えることなく、磁界によって生きている病理細胞の細胞生存プロセスに影響を与えることができる。具体的には、この方法は、この装置によって生成される一定電磁界(C界)および低周波電磁界(ELF界)への曝露を含む。
【００３５】
この方法の基礎となる概念は、CELF界が病理細胞内の病理プロセスの発生を確認する細胞信号、すなわち、遊離基のレドックス電位の信号に影響を及ぼし、それによって細胞生存プロセスを回復する、すなわち、p53遺伝子の発現を変更することによって、直接または間接的にアポトーシスを刺激することである。
【００３６】
病理細胞(すなわち、癌細胞)のアポトーシスをC磁界およびELF磁界によって選択的に誘導する理由は、健康な細胞と比較して、病理細胞の変化した電気的挙動にある可能性がある。これらの理由のために、CELF磁界は、悪影響として引き起こすことなく、生体外および生体内で、信号によってプログラムされた細胞の死、すなわちアポトーシスを、直接的または間接的に、引き起こすことができる。
【００３７】
異なる磁気誘導、振幅変調、および磁気ELF磁界の印加を使用した磁界C場のシーケンスが使用された。変調場の使用は、遊離基の再結合のプロセスに必要なスピンの一重項-三重項状態の変換に最適な状態を達成するために必要である。
【００３８】
好ましくは、ソフトウェアは、それぞれ、1〜30MTの合計磁気誘導、および0.1〜10の範囲のC/ELF界磁率に応じて、ならびに、いくつかの特別なオプションでは、それぞれ、1〜10MTの合計磁気誘導、および0.5〜5の範囲のC/ELF界磁率に応じて、CおよびELF界を設定するものとする。
【００３９】
従来の方法の治療効果の欠点は、放射が狭い範囲の周波数で生成されるという事実である。しかしながら、身体は多くの自由度を有する分散自己振動システムであり、狭い周波数範囲で身体に外部の影響が及ぶことによって、非線形振動システムの特性に従って身体組織がその共振特性を変化させて、外部の影響を最小限に抑え、これは、治療効果の低下につながる。
【００４０】
本方法の理論的正当性の根拠
1954年、フェルミ、パスタ、およびウラムは、モノモード励起の状態から均等に分布されたエネルギーを持つ状態への非線形システムの不可避の遷移を数値で示すことを試みた。それらによってシミュレートされたシステムは、相互作用力に線形項および非線形項がある、ばねで接続された、同じ質量のN粒子のチェーンである。
【００４１】
理論的考察に基づいて、フェルミ、パスタ、およびウラムは、最初は低周波モードqoに集中していたエネルギーが、他のモード間の非線形相互作用の結果として再分配され、それにより平衡への遷移を再現することを予想した。驚いたことに、結果は反対であった。エネルギーは、任意の均一の方法で再分配されたのではなく、長い時間期間の後に元のモード(最大98%)に戻った。さらに印象的だったのは、エネルギー/非線形係数の増加に伴い、戻りの時間が短縮すらされたことである。これが数値誤差であるという説明は、後で、数値実験によって論破され、精度の向上と、より長い集積時間によって、初期エネルギーの99%に戻ることの観察が可能となった。
【００４２】
DNAの非線形ベンチマークの音響および電気ダイナミクスの理論モデルは、FPU回帰の特徴的な空間―時間構造を有する電磁波(ソリトン)を生成するように設計された、無線電子装置のファミリー、フェルミパスタウラム回帰の形式の孤立波束の生成器(FPU生成器)の作製の基礎を形成した。FPU回帰スペクトルは、秩序状態から疑似カオス状態およびその逆への振動構造の周期的遷移で表現される。秩序状態では、波束の最初の形およびその空間―時間スペクトルが完全に繰り返される。
【００４３】
FPU生成器の重要な特徴は、その磁界の空間―時間構造であり、これは、DNA分子の振動構造に対応する。数学的シミュレーションの結果は、DNA分子の構造がFPU共振器に対応していることを示す。
【００４４】
この特性によって、生成器をDNA産物の自然振動および上記の生物系の情報相互作用の研究に関する実験に使用できる。そのような生成器の最初のモデルは、1988年〜1989年に本発明者のうちの1人によって設計された。
【００４５】
生成器の基本構成は、2つの長いラインの形のFPU共振器と、それに接続された非線形素子(たとえば、トンネリングダイオードなど)を備える(たとえば、Longren K. "Experimental studies of solitons in nonlinear transmission lines with dispersion", "Solitons in action", Moscow, Mir, 1981, pp. 138-162を参照)。
【００４６】
本方法は、生物学的システムを含むすべての分散非線形振動システムの一般的な基本特性、FPU回帰現象スペクトルの使用に基づき、これにより、多くの自由度を有する任意の動的システムは、システムの初期の外乱のフーリエスペクトルパターンのダイナミクスの元の形式へのそれ自体の準周期的な回帰を有する。
【００４７】
FPUスペクトルの確定状態と準カオス状態との間の準周期的遷移によって、身体組織におけるFPUスペクトルとの外部生成器の電磁FPU回帰スペクトルの広帯域共振の確立が保証される。これは、病理学的生化学プロセスの自律性の破壊を引き起こし、結果として、そのエネルギーの減少を引き起こし、最終的には、身体からの病変の除去につながり、あるいは、他の場合では、心拍数を正常な状態に回復させる。
【００４８】
これは、現在使用されている装置とFPU生成器の動作の機構の基本的な違いである。
【００４９】
広帯域スペクトルを生成するには、周期構造を有する要素を含む、FPU回帰を形成するための回路が必要である。コイルは周期構造またはらせん状の遅波システムであるので、そのような要素の一例はコイルである。固定端を有する正準的なFPUチェーンのように、定在波が発生する条件も必要である。現在の2ポートまたは対称生成器において、これは、生成器ポートおよび反対の巻線のコイルを周期的に切り替えることによって提供される。さらに、コイル材料の結晶格子の周期構造も、スペクトルの高周波部分に高調波を追加する。
【００５０】
FPUスペクトルは「呼吸」する。FPUスペクトルの「呼吸」は、スペクトルの低周波数部分から高周波数部分へ、およびその逆へのエネルギーのポンピングで表現される。これがFPUスペクトルの主な特性である。このエネルギーポンピングなしでは、異なるFPUスペクトルの相互作用は不可能である。
【先行技術文献】
【特許文献】
【００５１】
【特許文献１】RU 2135226 C1
【特許文献２】RU 2164424 C1
【特許文献３】RU 2245728 C2
【非特許文献】
【００５２】
【非特許文献１】Longren K. "Experimental studies of solitons in nonlinear transmission lines with dispersion", "Solitons in action", Moscow, Mir, 1981, pp. 138-162
【発明の概要】
【発明が解決しようとする課題】
【００５３】
本発明の目的は、身体組織に存在するFPU回帰スペクトルとの共振相互作用のために、広帯域であるフェルミパスタウラム(FPU)回帰スペクトルを生成するための装置を提供することである。
【００５４】
本発明の別の目的は、身体組織の病変に対する治療インパクトのための医療装置を提供することであり、FPU回帰スペクトルの構造を有する電磁界振動の生成器によって身体の分散動的システムの共振曝露のためのフェルミパスタウラム(FPU)スペクトルを生成するための装置を含み、これは、身体組織におけるFPU回帰スペクトルとの共振相互作用によって身体組織の病理学的プロセスを抑制し、身体の関連する動的システムの要素のダイナミクスの同期の程度を高める。
【００５５】
本発明のもう1つの目的は、FPU回帰スペクトルの構造を有する電磁界振動を生成するための生成器によって身体の分散動的システムの共振曝露のためのフェルミパスタウラム(FPU)スペクトルを生成するための方法を提供することであり、これは、身体組織におけるFPU回帰スペクトルとの共振相互作用によって身体組織の病理学的プロセスを抑制し、身体の関連する動的システムの要素のダイナミクスの同期の程度を高める。
【００５６】
それらのうちの1つが電子的に励起された状態にある場合、共振相互作用は、一般に、同一分子間で発生する。相互作用は、分子が互いに近づくと、励起が一方の分子から他方の分子に移動して戻るという事実によって引き起こされる。その結果、一方ではなく両方の分子が励起状態にあるように見え、この状態のエネルギーレベルは、現在、個々の分子のエネルギーレベルとは異なる。
【００５７】
共振相互作用は、システムにおいて非常に重要な役割を果たし、励起エネルギーの移動を引き起こす。
【課題を解決するための手段】
【００５８】
この目的は、フェルミパスタウラム(FPU)スペクトルを生成するための装置で達成され、装置は、
FPU電磁スペクトルを形成するための共振器(FPU共振器)であり、
振動を生成するための2ポート生成器であり、生成器の各ポートは、コイル、キャパシタ、および非線形被制御電子素子を備え、
2ポート生成器の前記コイルは反対の巻線を有し、逆向きに接続され、同じ数および同じ直径の巻きを有し、一方のコイルの巻きは、他方のコイルの巻きの間に交互に配置され、
生成器ポートは、生成器ポート間の正のフィードバックによる振動の生成を提供するように接続されている、2ポート生成器
を備える、共振器と、
コイルの接続点に電力を供給するための電源と、
2ポート生成器に接続されたスイッチオン回路と
を備える。
【００５９】
有利には、非線形被制御電子素子は、バイポーラトランジスタ、サイリスタ、電界効果トランジスタ、チップ、およびラジオ管からなる群から選択される素子であり得る。
【００６０】
好ましくは、装置は、FPU共振器のコイルと電磁結合しており、FPU共振器によって放出される電力を増幅するように設計された2次共振器であり、
同じ直径の巻きを有する、反対の巻線の2つの2次逆向き接続コイルであり、一方のコイルの巻きが他方のコイルの巻きの間に交互に配置され、前記2次コイルの端子が負荷に接続されて、閉ループを形成する、2つの2次逆向き接続コイル
を備える、2次共振器をさらに備え、
2次コイルの巻き数は、1次コイルの巻き数の2倍であり、2次コイルの巻きは、1次コイルの巻きの間に対で配置され、2次コイルの巻きの直径は1次コイルの巻きの直径に等しい。
【００６１】
有利には、1次コイルの巻きは、隙間なく互いに近接して配置される。
【００６２】
また、1次コイルおよび2次コイルの巻きが隙間なく互いに近接して配置されることも有利である。
【００６３】
好ましくは、1次および2次コイルは、四角いまたは丸い断面を有するワイヤから作られている。
【００６４】
有利には、1次コイルの直径は、20〜25mmの範囲内である。
【００６５】
有利には、1次コイルの線径は、2次コイルの線径の2〜2.5倍である。
【００６６】
有利には、1次コイルの線径は、1.8〜2.2mmである。
【００６７】
有利には、2次コイルの線径は、0.8〜1.2mmである。
【００６８】
好ましくは、負荷は高出力ダイオードである。
【００６９】
好ましくは、装置は、生成器ポートのうちの1つに結合された2ポート生成器操作ライトインジケータをさらに備える。
【００７０】
有利には、操作ライトインジケータは、発光ダイオードである。
【００７１】
本発明の第2の実施形態によれば、フェルミパスタウラム(FPU)スペクトルを生成するための装置が提供され、この装置は、
FPU電磁スペクトルの高周波部分を形成するための共振器であり、
同じ数および同じ直径の巻きを有する反対の巻線の2つの接続されたコイルであり、一方のコイルの巻きは、他方のコイルの巻きの間に交互に配置される、2つの接続されたコイル
を備える、共振器と、
FPU電磁スペクトルの低周波数部分を形成するための回路であり、非線形素子、ならびに並列に接続され、非線形素子の出力に結合された低オーム抵抗器およびスーパーキャパシタを備え、
非線形素子の他方の出力は、コイルの前記一方の他方の端子に接続されている、回路と
患者の心拍数に応じてスペクトルの低周波数部分の周波数を調整するための回路であり、キャパシタおよび制御された高オーム抵抗器を備え、その一方の出力は、非線形素子の制御電極に接続され、他方の出力は、第2のコイルの一方の端子に接続される、回路と、
非線形素子の制御電極に結合され、1〜1.5Hzの脈拍数に近い周波数での共振器の短期的なスイッチオンを示すように設計された、LED低周波振動インジケータと、
コイルに電力を供給するための電源と、
電源の出力に取り付けられたスイッチと
を備える。
【００７２】
好ましくは、非線形被制御電子素子は、バイポーラトランジスタ、サイリスタ、電界効果トランジスタ、チップ、およびラジオ管からなる群からの素子である。
【００７３】
有利には、装置は、コイルが配置される誘電体材料のコアをさらに備える。
【００７４】
好ましくは、コイルの巻きは、隙間なく互いに近接して配置される。
【００７５】
有利には、コイルは、角線または丸線から作られる。
【００７６】
有利には、コイルの直径は、20〜25mmの範囲内である。
【００７７】
好ましくは、コイルの線径は、1.8〜2.2mmである。
【００７８】
好ましい実施形態では、フェルミパスタウラム(FPU)スペクトルを生成するための装置は、
FPU電磁スペクトルを形成するための共振器であり、
振動を生成するための2ポート生成器であり、生成器の各ポートは、コイル、ならびに直列に接続されたキャパシタおよびトランジスタを備え、
2ポート生成器の前記コイルは、反対の巻線を有し、逆向きに接続され、同じ数および同じ直径の巻きを有し、一方のコイルの巻きは、他方のコイルの巻きの間に交互に配置され、生成器コイルの一方の端子は、一方の生成器ポートのトランジスタのコレクタに結合され、他方の生成器コイルの端子は、他方の生成器ポートのトランジスタのコレクタに結合され、
生成器ポートは、生成器ポート間の正のフィードバックによる振動の生成を提供するように接続される、2ポート生成器
を備える、共振器と、
コイルの接続点に電力を供給するための電源と、
同じ直径の巻きを有する、FPU共振器の電力を増幅するための反対の巻線の2つの2次逆向き接続コイルであり、一方のコイルの巻きが他方のコイルの巻きの間に交互に配置され、前記2次コイルの端子が負荷に結合されて、閉ループを形成し、
2次コイルの巻き数は、1次コイルの巻き数の2倍であり、2次コイルの巻きは、電磁結合を提供するために1次コイルの巻きの間に対で配置され、2次コイルの巻きの直径は1次コイルの巻きの直径に等しい、2つの2次逆向き接続コイルと、
直列に接続された抵抗器およびスイッチを備えるスイッチオン回路であり、抵抗器の出力は、生成器ポートのうちの1つのトランジスタのコレクタに結合され、スイッチの出力は、同じトランジスタのベースに結合される、スイッチオン回路と
を備える。
【００７９】
別の好ましい実施形態では、フェルミパスタウラム(FPU)スペクトルを生成するための装置は、
FPU電磁スペクトルの高周波部分を形成するための共振器であり、
同じ数および同じ直径の巻きを有する反対の巻線の2つの接続されたコイルであり、一方のコイルの巻きは、他方のコイルの巻きの間に交互に配置される、2つの接続されたコイル
を備える、共振器と、
FPU電磁スペクトルの低周波数部分を形成するための回路であり、トランジスタ、ならびに並列に接続された低オーム抵抗器およびスーパーキャパシタを備え、抵抗器の出力は、トランジスタのエミッタに結合され、抵抗器の他方の出力は接地され、トランジスタのコレクタは、コイルの前記一方の他方の端子に結合される、回路と、
患者の心拍数に応じてスペクトルの低周波数部分の周波数を調整するための回路であり、キャパシタおよび制御された高オーム抵抗器を備え、その一方の出力は、共振回路のトランジスタのベースに結合され、他方の出力は、第2のコイルの端子の1つに結合される、回路と、
トランジスタのベースに結合され、1〜1.5Hzの脈拍数に近い低周波数での高周波生成器の短期間のスイッチオンを示すように設計されたLED低周波振動インジケータと、
コイルの一方の端子が接続される電源と、
電源の出力に取り付けられたスイッチと
を備える。
【００８０】
本発明の第2の態様によれば、身体組織におけるFPU回帰スペクトルの共振曝露による身体組織の異なる種類の病変への治療インパクトのための医療装置が提供され、この装置は、
患者の身体に配置するための非磁性材料のハウジングを備え、前記ハウジングは、空洞内に、
請求項1または14に記載のフェルミパスタウラム(FPU)スペクトルを生成するための装置と、
前記装置が接続されるマイクロプロセッサと、
マイクロプロセッサに接続された、病変領域の温度を監視するための温度センサと
を囲う。
【００８１】
第2の実施形態によれば、心筋に存在するFPU回帰スペクトルの共振曝露による不整脈における治療インパクトのための医療装置が提供され、
患者の身体に配置するための非磁性材料のハウジングを備え、前記ハウジングは、空洞内に、
請求項14に記載のフェルミパスタウラム(FPU)スペクトルを生成するための装置と、
前記装置が接続されるマイクロプロセッサと、
患者の手首に固定されるように適合され、マイクロプロセッサに接続されている脈拍センサと
を囲う。
【００８２】
第3の実施形態によれば、身体組織におけるFPU回帰スペクトルの共振曝露による身体組織の病変への治療インパクトのための医療装置であり、この装置は、
患者の身体に配置するための非磁性材料のハウジングを備え、前記ハウジングは、空洞内に、
請求項14に記載のフェルミパスタウラム(FPU)スペクトルを生成するための装置と、
前記装置が接続されるマイクロプロセッサと、
マイクロプロセッサに接続された、病変領域の体温を監視するための温度センサと
を囲う。
【００８３】
本発明の第3の態様によれば、身体組織におけるFPU回帰スペクトルの共振曝露のためのフェルミパスタウラム(FPU)スペクトルの形態を有する電磁放射による身体の病変への治療インパクトの方法が提供され、方法は、
身体組織のFPU回帰スペクトルの共振曝露のためのFPUスペクトルを生成するために、請求項22または24に記載の医療装置を使用するステップと、
患者の身体の治療インパクトの対象となる病変領域に医療装置を固定するステップと、
病変のタイプに応じて3Hz〜650MHzの範囲の周波数でFPUスペクトルの電磁放射に病変領域を5〜30分間曝すステップと、
体温を監視し、病変領域の体温が0.4〜2℃上昇することから、治療効果が得られたかどうかを判断するステップと
を含む。
【００８４】
第2の実施形態によれば、心筋におけるFPU回帰スペクトルの共振曝露のためのフェルミパスタウラム(FPU)スペクトルの電磁放射による心不整脈における治療インパクトの方法であって、方法は、
心筋におけるFPU回帰スペクトルとの共振相互作用のためのFPUスペクトルを生成するために、請求項23に記載の医療装置を使用するステップと、
患者の身体の心臓領域に医療装置を固定するステップと、
患者の手首に脈拍センサを固定するステップと、
3Hz〜650MHzの範囲の曝露の周波数で、5〜30分間、FPUスペクトルの電磁放射に心臓領域を曝すステップと、
必要な脈拍数に従って、制御された高オーム抵抗器の抵抗を設定するステップと、
LED低周波振動インジケータの点滅頻度から脈拍を監視するステップと、
心臓の心電図を同時に監視し、心臓の心電図から治療効果が得られたかどうかを判断するステップと
を含む。
【００８５】
フェルミパスタウラム回帰間の共振相互作用の理論に従って、健康な組織のFPU回帰エネルギーは、病理組織のFPU回帰エネルギーの減少により増加し、その結果、病理組織のFPU回帰エネルギーの強度が大幅に減少するか、完全に消える。
【００８６】
本装置は、生成器によって生成された電磁振動と、身体組織の自然振動を有する正常な組織に特徴的な電磁振動の強制同期を提供する。組織の病変は、正常な組織とは異なる振動パラメータを有するという事実により、同期時に身体組織の病理学的振動のエネルギーが減少し、これが治療効果を引き起こす。
【００８７】
本発明は、添付の図面を参照して好ましい実施形態の説明によってさらに説明される。
【図面の簡単な説明】
【００８８】
【図１】本発明による、身体組織におけるFPU回帰スペクトルとの共振相互作用のためのFPUスペクトルを生成するための装置の電気回路を示す図である。
【図２】1次および2次共振器のコイルの巻きを概略的に示す図である。
【図３】1次共振器のFPU電磁スペクトルを増幅するための2次共振器を備える、FPUスペクトルを生成するための装置の電気回路を示す図である。
【図４】1次共振器のコイルの巻きの間の2次共振器のコイルの巻きの配置を示す図である。
【図５】本発明による、FPUスペクトルを生成するための装置の第2の実施形態の電気回路を示す図である。
【図６】本発明による、身体組織におけるFPU回帰スペクトルとの共振相互作用のためのFPUスペクトルを生成するための医療装置を示す図である。
【図７】本発明による、身体組織におけるFPU回帰スペクトルとの共振相互作用のためのFPUスペクトルを生成するための医療装置の第2の実施形態を示す図である。
【発明を実施するための形態】
【００８９】
フェルミパスタウラム(FPU)スペクトルを生成するための装置1(図1)は、FPU電磁スペクトルを形成するための共振器2(FPU共振器)を備え、共振器2は振動を生成するための2ポート生成器を備え、その各ポート3、4は、コイル、キャパシタ、および非線形被制御電子素子を備え、特に、ポート3は、コイル5、キャパシタ6、および非線形被制御電子素子7を備え、ポート4は、コイル8、キャパシタ9、および非線形被制御電子素子10を備える。
【００９０】
非線形被制御電子素子7または10は、バイポーラトランジスタ、サイリスタ、電界効果トランジスタ、チップ、およびラジオ管からなる群から選択される素子であり得る。この好ましい実施形態は、トランジスタを用いる。
【００９１】
図2に概略的に示すように、2ポート生成器のコイル5および8は反対の巻線を有し、逆向きに接続されており、同じ数および同じ直径の巻きを有する。本実施形態では、コイル5および8は、6巻きを有するが、8または10または別の巻き数があり得る。説明した構造では、一方のコイル5の巻きは、他方のコイル8の巻きの間に交互に配置される。
【００９２】
2ポート生成器のポート3および4は、ポート3と4の間の正のフィードバックによる生成器による振動の生成を確実にするように接続されている。
【００９３】
装置1は、コイル5および8の接続点Aに電力を供給する、たとえば20VのDC電圧の電源11を備える。
【００９４】
記載された好ましい実施形態では、一方のコイル5の端子は、生成器の一方のポート3のトランジスタ10のコレクタに接続され、他方のコイル8の端子は、他方のポート4のトランジスタ7のコレクタに接続される。
【００９５】
装置1は、この実施形態では直列に接続された抵抗器13およびスイッチ14を含むトリガ回路12も備え、抵抗器13の出力は、生成器ポート3のトランジスタ7のコレクタに接続され、スイッチ14の出力は同じトランジスタ7のベースに接続される。
【００９６】
装置1は、好ましくは、FPU共振器1のコイルと電磁結合しており、1次FPU共振器の電力を増幅するように適合された2次共振器15(図3)を備える。
【００９７】
2次共振器15は、たとえば、同じ直径の巻きを有する反対の巻線の2つの2次逆向き接続コイル16、17から形成され、一方のコイル16の巻きが他方のコイル17の巻きの間に交互に配置されている。2次コイル16、17の端子は、負荷18に接続されて閉ループを形成する。
【００９８】
2次コイル16および17の巻き数は、1次コイル5および8の巻き数の2倍であり、2次コイル16および17の巻きは、1次コイル5および8の巻きの間に対で配置され、2次コイル16および17の巻きの直径は、1次コイル5および8の巻きの直径に等しい。
【００９９】
生成器ポート3、4は、共振器1および15の電流の方向を切り替える。
【０１００】
1次コイル5および8の巻きは、隙間なく互いに近接して配置される。2次共振器15が利用可能である場合、1次および2次コイル5、16、17および8の巻きは、隙間なく互いに近接して配置される(図4)。
【０１０１】
コイル5、8、16、17は、角線または丸線から作られる。
【０１０２】
好ましくは、1次共振器1のコイル5および8の直径は、20〜25mmの範囲内である。
【０１０３】
コイル5および8の線径は、2次コイル16および17の線径の2〜2.5倍であり、この実施形態における1次コイル5および8の線径は、1.8〜2.2mmの範囲内であり、2次コイル16、17の線径は、0.8〜1.2mmである。
【０１０４】
2次共振器15の負荷18は、たとえば、5A以上の直流の、高出力ダイオードである。ダイオードは、非線形素子として、生成器の振動のスペクトルに影響を与え、追加の高調波が現れ、すなわち、特に、PN接合の非線形性により、高調波のセットが増加し、スペクトルが豊かにされる。
【０１０５】
装置1は、生成器の1つのポート3に結合された2ポート生成器操作光インジケータ19をさらに含み、光インジケータ19は、発光ダイオード(LED)である。
【０１０６】
第2の実施形態によれば、フェルミパスタウラム(FPU)スペクトルを生成するための装置20(図5)は、FPU電磁スペクトルの高周波部分を生成するための共振器21(FPU共振器)を備え、共振器21は、同じ巻き数および直径を有する、反対の巻線の2つの逆向きのまたは一致する接続コイル22、23を備え、一方のコイル22の巻きが他方のコイル23の巻きの間に交互に配置されている。
【０１０７】
装置20は、FPU電磁スペクトルの低周波数部分を生成するための回路24をさらに備え、回路24は、非線形素子25、ならびに並列に接続された低オーム抵抗器26およびスーパーキャパシタ27を備え、両方とも非線形素子25の出力に接続される。
【０１０８】
記載の実施形態では、非線形被制御電子素子25は、バイポーラトランジスタ、サイリスタ、電界効果トランジスタ、チップ、およびラジオ管からなる群から選択される素子であり得る。好ましい実施形態では、素子はトランジスタである。非線形素子25の他の出力は、コイル23の前記1つの他の端子に結合される。
【０１０９】
装置20は、患者の心拍数に従ってスペクトルの低周波数部分の周波数を調整するための回路28をさらに備える。回路28は、キャパシタ29および制御された高オーム抵抗器30を備え、その出力は非線形素子25の制御電極に結合され、他方の出力は第2のコイル22の端子の1つに接続される。
【０１１０】
装置20は、非線形素子25の制御電極に、この場合はトランジスタベースに結合された、LED低周波振動インジケータ31をさらに備える。インジケータ31は、共振器21の短期間のスイッチオンを示すことを意図しており、共振器21は、1〜1.5Hzの脈拍数に近い周波数で動作する。
【０１１１】
記載された実施形態における装置20は、コイル22および23に電力を供給するための電源32と、電源32の出力に取り付けられたスイッチ33とをさらに備える。
【０１１２】
装置20は、コイル22および23が取り付けられる誘電材料のコア34をさらに備える。コイル22、23の巻きは、隙間なく互いに近接して配置される。
【０１１３】
好ましくは、コイル22および23は、角線または丸線から作られる。コイル22および23の直径は、好ましくは20〜25mmであり、コイルの線径は、好ましくは1.8〜2.2mmである。
【０１１４】
本発明の第2の態様によれば、身体組織におけるFPU回帰スペクトルの共振曝露による身体組織の病変への治療インパクトのための医療装置35(図6)が提供され、患者の身体に配置するための非磁性材料のハウジング36を備える。ハウジング36は、その空洞内に、フェルミパスタウラム(FPU)スペクトルを生成するための装置1のFPU共振器2のコイル5、8、16、17と、装置1のトリガ回路のスイッチ14が接続されるマイクロプロセッサ37とを囲う。
【０１１５】
2ポート生成器が別個のハウジング38に収容されている。ハウジング38上には、両方ともマイクロプロセッサ37に電気的に接続された、装置操作ライトインジケータ19およびトリガ回路12のスイッチ14が設けられている。コイル5および8は、ワイヤ39および40によって電源11に接続される。
【０１１６】
セットにおいて、医療装置35は、マイクロプロセッサ37に結合された、病変領域の温度を監視するための温度センサ41をさらに備える。
【０１１７】
ハウジング37は、装置を患者の身体に固定するための手段42を含む。
【０１１８】
第2の実施形態によれば、心筋のFPU回帰スペクトルにおける共振曝露による不整脈における治療インパクトのための医療装置43(図7)が提供される。医療装置は、患者の身体に配置するための非磁性材料のハウジング44を備える。ハウジング44は、その空洞内に、共振器21のコイル22、23と、フェルミパスタウラム(FPU)スペクトルを生成するための装置20のスイッチ33が結合されるマイクロプロセッサ45とを囲う。
【０１１９】
医療装置43は、FPU電磁スペクトルの低周波数部分を形成するための回路24と、患者の心拍数に従ってスペクトルの低周波数部分の周波数を調整するための回路28とを収容する追加のハウジング46をさらに備える。ハウジング46のフロントパネルは、低周波振動LEDインジケータ31およびスイッチ33を備える。
【０１２０】
セットにおいて、医療装置42は、マイクロプロセッサ45に結合された、患者の手首に固定される脈拍センサ47を備える。
【０１２１】
図7はまた、ワイヤ48によって共振器20のコイル22、23に接続された電源32も示す。ハウジング44は、装置を患者の身体の心臓領域に固定するための手段49を備える。
【０１２２】
身体組織のFPU回帰スペクトルの共振曝露による身体組織の病変への治療インパクトのための医療装置43(図示せず)の第2の可能な実施形態は、患者の身体に配置するための非磁性材料のハウジングを備え、ハウジングは、その空洞内に、フェルミパスタウラム(FPU)スペクトルを生成するための装置20のコイル22および23、ならびに装置20が接続されたマイクロプロセッサを囲み、医療装置セットは、マイクロプロセッサに接続された、病変領域の体温を監視するための温度センサを含む。
【０１２３】
すべての実施形態において、マイクロプロセッサは、たとえば所定の治療効果を達成したときに、医療装置をオンおよびオフに切り替えるために使用することができる。
【０１２４】
医療装置は、以下のようにして動作する。
【０１２５】
スタートボタンを押すと、トランジスタベースに正の電圧を供給することによって、装置の動作が開始される。作動中、電源がオンの状態でも様々な理由で生成器が機能しない可能性があるので、生成器に振動が存在することを示すために、LEDは常時点灯しているものとする。
【０１２６】
電源投入時に医療装置の動作モードを確立するための時間は、1分を超えないものとする。動作モードの確立は、電源オン点灯指示を伴う。
【０１２７】
医療装置は、病院、専門クリニックおよび病院、医療センター、および家庭で、以下の値、すなわち、周囲温度15℃〜25℃、45%〜75%の相対湿度、97.3kPa〜105.3kPa(730mmHg〜790mmHg)の大気圧によって特徴付けられる通常の気候条件で使用することを意図する。
【０１２８】
生成器は、HIGH/LOWとマークされた、より強い、およびより弱い2つの動作モードを有する場合があるので、ハウジングには、動作モードを切り替えるためのトグルを設けることができる。
【０１２９】
動作の原理は、FPUスペクトルが心筋で発生する様々な病理学的プロセスに与える影響に基づく。生成器の規則的な振動とカオス的な振動との間の準周期的な遷移により、心筋に独自の振動プロセスとの非線形FPU共振が発生する。1つの処置の持続時間は、個々の推奨事項に応じて5〜20分である。
【０１３０】
身体組織におけるFPU回帰スペクトルの共振曝露のためのフェルミパスタウラム(FPU)スペクトルの電磁放射による身体の病変への治療インパクトの方法は、以下の方法で遂行される。
【０１３１】
身体組織におけるFPU回帰スペクトルの共振曝露のためのFPUスペクトルを生成するための医療装置35は、患者の身体の治療インパクトの対象となる病変領域に固定される。
【０１３２】
医療装置のスイッチがオンになり、病変領域は、病変のタイプに応じて3Hz〜650MHzの範囲の周波数でFPUスペクトルの電磁放射に5〜30分間曝される。
【０１３３】
同時に、体温が監視され、病変領域の体温が0.4〜2℃上昇することで治療効果の達成が決定され、この目的のために、病変領域の体温は、温度センサ41によって永続的に測定される。病変領域の体温が0.4〜2℃上昇すると、治療効果の達成が決定される。体温は常に上昇するが、健康な人では、体温はせいぜい0.1〜0.2℃上昇せず、炎症性病変がある場合、放射下の体温は0.4〜2℃上昇する。
【０１３４】
セッションは、通常、10〜30分続く。治療効果を達成するために、5〜6回の曝露セッションが遂行される。
【０１３５】
処置は、午後4時から午後10時までの期間内の同じ時間間隔で推奨されているが、午前中および午後でも可能である。処置の過程は、医師の推奨および疾患の重症度に応じて3〜6日間続く。
【０１３６】
治療効果は、最初のセッションの後、すでに発生している。
【０１３７】
上述のように、健康な組織、および、たとえば炎症など病理のある組織は、電磁放射スペクトルの分析によって証明された、異なるフェルミパスタウラム(FPU)放射スペクトルを有する。さらに、これらの健康な組織および病理を有する組織の放射スペクトルの、医療装置からのフェルミパスタウラム(FPU)スペクトルの外部電磁放射との相互作用は、異なる方法で生じる。特定の曝露特性は、実験的に選択され、推奨されているが、特定の患者の個々の特性に応じて変更できる。
【０１３８】
医療装置からのFPUスペクトルエネルギーは、健康な組織および病理を有する組織のFPUスペクトルエネルギーに転送される。統計によれば、病理を有する組織の質量は、健康な組織の質量と比較して、10%以下である、すなわち、有意に少ないことに留意されたい。したがって、共振に入るときに健康な組織によって捕捉されるFPUスペクトルエネルギーは、共振に入るときに病理を有する組織によって捕捉されるFPUスペクトルエネルギーよりも何倍も大きい。
【０１３９】
健康な組織のFPUスペクトルエネルギーが増加する。健康な組織のFPUスペクトルエネルギーは、罹患した組織のFPUスペクトルエネルギーを阻害すると言える。その結果、病理を有する組織のFPUスペクトルエネルギーが減少する。
【０１４０】
一例では、心筋におけるFPU回帰スペクトルの共振曝露のためのフェルミパスタウラム(FPU)スペクトルの電磁放射による心不整脈における治療インパクトの方法は、以下の方法で遂行される。
【０１４１】
医療装置43(図7)は、患者の身体の心臓領域に固定され、脈拍センサ47は患者の手首に固定される。
【０１４２】
心臓領域は、5〜30分間、FPUスペクトルの電磁放射に曝される。
【０１４３】
制御された高オーム抵抗器30の抵抗は、必要な脈拍数に従って設定され、脈拍数は、LED低周波振動インジケータ31の点滅周波数から監視される。脈拍数は、心臓の共振曝露を実施するために必要とされ、許容範囲は、心拍数の医療範囲内である。
【０１４４】
心臓の心電図は、そこから治療効果の達成を判定するために、継続的に監視される。
【０１４５】
医療装置は、異なる起源の心不整脈の処置に使用される。装置は、治療インパクトの所定の時間内に連続モードで心筋または身体の他の組織における振動プロセスの強制同期を提供する。
【０１４６】
医療装置は、好ましくは3Hz〜650MHzの周波数で動作する治療装置に関する。
【０１４７】
生成器によって消費される電力は、15ワット以下でなければならない。
【０１４８】
使用の指示:
-  心筋梗塞後の壊死性炎症、リンパ節への浸潤(扁桃炎)、副鼻腔炎、歯周炎などを含む様々な炎症プロセス。異常な心臓のリズム(不整脈)
-  神経根炎、坐骨神経痛、腰痛、肋間神経痛
-  怪我、ねんざ、および脱臼後の外傷後炎症
-  関節痛やリウマチの痛み、関節炎に効果的
-  痔や前立腺炎に効果的。
【０１４９】
曝露時間は通常20〜25分である。処置サイクルは3〜6日である。生成器を使用するのに最も効果的な時間は、午後4時〜10時までである。
【０１５０】
医療装置の使用例1
患者D.、58歳、持続性不整脈。脈拍の損失は、平均して3回の打撃ごとに判定される。FPU生成器は胸骨に配置され、曝露を開始してから5分後に、不整脈は劇的に減少し、10分後には完全に消えた。FPU生成器を使用して、10分間の曝露で5回の治療セッションが行われた。治療後数カ月以内に、観察では患者の不整脈を表さなかった。したがって、FPU生成器は、不整脈を取り除くのに効果的であった。
【０１５１】
医療装置の使用例2
患者A.、60歳。坐骨神経痛の発作。腰部の激しい痛みは、患者の動きを妨げる。FPU生成器は、腰部に配置された。曝露時間は、35分であった。曝露中、痛みはほとんどなくなり、患者は自由に動くことができた。35分の曝露時間で4回のセッションが行われ、その後患者は仕事に戻った。したがって、FPU生成器は、坐骨神経痛の発作の結果の排除に効果的であった。
【産業上の利用可能性】
【０１５２】
フェルミパスタウラム(FPU)回帰スペクトルの構造を有する電磁放射による身体組織の病変への治療インパクトの医療装置および方法は、身体の不整脈および炎症プロセスの処置、ならびに臓器の機能の調和と身体の防御の強化に使用できる。
【符号の説明】
【０１５３】
1  装置
2  共振器
3  ポート
4  ポート
5  コイル
6  キャパシタ
7  非線形被制御電子素子
8  コイル
9  キャパシタ
10  非線形被制御電子素子
10  トランジスタ
11  電源
12  トリガ回路
13  抵抗器
14  スイッチ
15  2次共振器
16  コイル
17  コイル
18  負荷
19  2ポート生成器操作光インジケータ
20  装置
21  共振器
22  接続コイル
23  接続コイル
24  回路
25  非線形素子
26  低オーム抵抗器
27  スーパーキャパシタ
28  回路
29  キャパシタ
30  制御された高オーム抵抗器
31  LED低周波振動インジケータ
32  電源
33  スイッチ
34  コア
35  医療装置
36  ハウジング
37  マイクロプロセッサ
38  ハウジング
39  ワイヤ
40  ワイヤ
41  温度センサ
42  装置を患者の身体に固定するための手段
43  医療装置
44  ハウジング
45  マイクロプロセッサ
46  ハウジング
47  脈拍センサ
48  ワイヤ
49  装置を患者の身体の心臓領域に固定するための手段
【図１】
2020535901.tif 000003
【図２】
2020535901.tif 000004
【図３】
2020535901.tif 000005
【図４】
2020535901.tif 000006
【図５】
2020535901.tif 000007
【図６】
2020535901.tif 000008
【図７】
2020535901.tif 000009
【国際調査報告】
2020535901.tif 000010
2020535901.tif 000011
2020535901.tif 000012
2020535901.tif 000013
2020535901.tif 000014
2020535901.tif 000015
2020535901.tif 000016